Podtech/llm-jp-corpus-v4-ja_patent huggingface dataset:
(57)【要約】【課題】従来、食事時に衣服への汚れを防止する為の食事用ナプキンはナプキンの隅部を襟元に差し込み通して使用するが差し込んだだけでは脱落し易く使い勝手が悪い。  これの改善の為ナプキンの一部にボタン穴を設けるなどの提案がなされているが、ボタン懸けの困難と煩わしさもあって、通常的に用いられず、生憎使い勝手の悪いままのナプキンの提供が一般的である。【解決手段】【課題を解決するための手段】ナプキンの所要の位置に懸け紐を付けることによって、食事時使い勝手の良い食事用ナプキンの提供。  ナプキンの素材が紙質の場合、懸け紐は接着又は、所要の位置に２本のカット線を入れる事で、その間を折り返して、その折り返し部を紐同様に扱うもの。  若しくは、素材が紙質など軽量ナプキンの場合、裏面に簡易接着剤を部分的に塗布して使用時に固定が容易な食事用ナプキン【選択図】                    図１
2004176229.tif 000002
【特許請求の範囲】
【請求項１】
ナプキンの所要の位置に懸け紐を付けることによって、食事時に着用が容易で使い勝手の良い食事用ナプキン
【請求項２】
ナプキンの素材が紙質の場合、懸け紐は接着又は、所要の位置に２本のカット線を入れる事で、その間を折り返して、その折り返し部を紐同様に扱う場合の食事用ナプキン
【請求項３】
請求項１及び２の懸け紐はその両端を伸ばして結べる長さを用意し結んで使用できる食事用ナプキン
【請求項４】
素材が紙質など軽量ナプキンの場合、効果的な裏面の位置に両面接着テープ又は同等な簡易接着剤を部分的に塗布し、使用時に着用が容易な食事用ナプキン
【請求項５】
素材が紙質など軽量ナプキンの場合、請求項２の懸け紐に替えて輪ゴムを使用する場合の使用時に着用が容易な食事用ナプキン
【発明の詳細な説明】
【０００１】
【発明の属する技術分野】
この発明は、食事用のナプキンに関する。
【０００２】
【従来の技術】
従来、食事時に衣服への汚れを防止する為の食事用ナプキンはナプキンの隅部を襟元に差し込む等して使用するが差し込んだだけでは脱落し易く使い勝手が悪い。  これの改善の為、ナプキンの一部にボタン穴を設けるなどの提案がなされているが、ナプキンの為にさらにボタン通さなければならない困難さと煩わしさもあって、通常的に用いられず、使い勝手の悪いままのナプキンの提供が一般的である。（例えば特許文献１参照。）。
【０００３】
【特許文献１】
特開平０９−２１５５７９号公報  （第１，２頁）
【０００４】
【発明が解決しようとする課題】
食事用ナプキンを洋服の胸・腹の位置のボタンやネクタイピン等に容易に引っ掛けられて、固定が確実でしかも外し易いなど使い勝手が良く、落ち着いて食事ができ、かつ安価に生産できる食事用ナプキンを提供すること。
【０００５】
【課題を解決するための手段】
ナプキンの所要個所に懸け紐を付けることによって、それを洋服の胸・腹の位置のボタンやネクタイピン等に引っ掛けて着用することを特長とする。
【０００６】
布ナプキンの場合、裏面所要個所に懸け紐をかがり付けておくことによって、それを洋服の胸・腹の位置のボタン等に懸けて着用することは、ボタン穴通しをする事よりも容易でかつ、外し易い。
【０００７】
請求項２のナプキンの素材が紙質の場合、懸け紐は接着しても良いが、図４のように所要の位置に２本のカット線を入れる事で、その間を折り返して、その折り返し部を紐同様に扱うことが出来る。
【０００８】
請求項３は懸け紐の両端を伸ばして結べる長さを用意し、ボタンを含め様々な個所に絡げ結んで使用することが出来る。
【０００９】
請求項４の素材が紙質など軽量ナプキンの場合、効果的な裏面の位置に両面接着テープ又は同等な簡易接着剤を部分的に塗布し、使用時に着用固定が容易に出来る。
【００１０】
請求項５のように素材が紙質など軽量ナプキンの場合、懸け紐に替えて輪ゴムを使用することも簡易で便利に着用できるナプキンとなる。
【００１１】
【発明の実施の形態】
図１は  布製ナプキンの裏面の所要個所に懸け紐又は糸をかがり付けておく一事例を示す。  位置は図の様に折り返された適切な位置又は、その対角隅とする。
通常のナプキンの洗濯、アイロンがけ等には全く支障が無い。
【００１２】
図２は  ナプキンの素材が紙質の場合、懸け紐又は糸若しくは紙縒りを、接着する又は接着テープで固定した事例を、図４は同様の素材に、所要の位置に２本のカット線を入れる事で、その間を折り返して、その折り返し部を紐同様に扱うことが出来る事例を示す。
この折り返し部には、紙材の重ね張りや糸若しくは紙縒りの接着の補強も比較的に強度の弱い紙材の強化策には効果的である。
【００１３】
図３は  懸け紐の両端を伸ばして結べる長さを用意した一事例を示す。
【００１４】
図５は  軽量ナプキンの場合に効果的な裏面の適切な位置に、両面接着テープを貼付又は、簡易接着剤を部分的に塗布した一事例を示す。
【００１５】
【発明の効果】
この発明によれば、ナプキンを胸元や腹部を覆う位置に容易にしかも確実に懸け留めることが出来、ボタン穴を通す煩わしさもなく、安心して食事のできる使い勝手の良い食事用ナプキンを提供出来、又取り外す事も容易である。
【図面の簡単な説明】
【図１】布製ナプキンの裏面所要個所に懸け紐をかがり付けておく事例を示す。
【図２】ナプキンの素材が紙質の場合、懸け紐は接着した事例を示す。
【図３】ナプキン懸け紐の両端を十分に伸ばした事例を示す。
【図４】ナプキンの素材が紙質の場合、所要の位置に２本のカット線を入れて懸け紐効果を出す事例を示す。
【図５】軽量ナプキンの場合に裏面に両面接着テープ又は簡易接着剤を部分的に塗布する事例を示す。
【符号の説明】
１  食事用ナプキン本体
２  懸け紐又は糸
３  懸け紐又は糸のかがり付け部
４  食事用ナプキン素材が紙質）
５  懸け紐又は糸又は紙縒り
６  接着又はテープ止め
７  カットの為の線
８  切り込み部の折り返し
９  両面接着テープ貼付又は接着剤塗布部
【図１】
2004176229.tif 000003
【図２】
2004176229.tif 000004
【図３】
2004176229.tif 000005
【図４】
2004176229.tif 000006
【図５】
2004176229.tif 000007
(57)【要約】【課題】押しても引いても洗剤がもれることなく風呂釜内部にとどまりやすくする。外縁に装着したゴム様のものがあったとしても、風呂釜洗浄用具の内部を洗剤が吐出、又は発泡したときとあるいは、吸い込み切ったときに風呂釜内部と風呂釜洗浄用具の直結性が損われてしまうことになる。結果、洗剤が有効に風呂釜内部に留まりづらいことになる。【解決手段】環状吸盤１を、風呂釜洗浄用具の吐出口６の周囲に取り付けることによって風呂釜内部と風呂釜洗浄用具との直結性を保つことができる。【選択図】        図１
2004176937.tif 000002
【特許請求の範囲】
【請求項１】
前方を蛇腹状ポンプと分割可能な蓋とし、その蓋にもうけた吐出口の周りに環状吸盤を取り付けた、前方に吐出口と環状吸盤を設け後部が蛇腹状ポンプから成る風呂釜洗浄用具。
【請求項２】
前方を蛇腹状ポンプと分割可能な蓋とし、その蓋にもうけた吐出口の周りに環状吸盤を取り付けた、前方に吐出口と環状吸盤を設け後部が蛇腹状ポンプから成る風呂釜洗浄用具の後部に取っ手をつけた風呂釜洗浄用具。
【請求項３】
吐出口の周りに環状吸盤を取り付けた、前方の蓋に吐出口と環状吸盤を設けた後部が容器から成る風呂釜洗浄用具。
【請求項４】
吐出口の周りに環状吸盤を取り付けた、前方に吐出口と環状吸盤を設けた容器から成る風呂釜洗浄用具の後部に蓋をつけた風呂釜洗浄用具。
【請求項５】
環状吸盤を、後部の蓋部と分割可能な風呂釜洗浄用具本体の前部の吐出口の周囲に取り付けたポンプ式風呂釜洗浄用具。
【請求項６】
環状吸盤を、後部の蓋部と分割可能な風呂釜洗浄用具本体の前部の吐出口の周囲に取り付けたものに後部の蓋に取っ手をつけたポンプ式風呂釜洗浄用具。
【請求項７】
一体成型した風呂釜洗浄用具前方に吐出口をもうけその周囲に環状吸盤を取り付けた風呂釜洗浄用具。
【請求項８】
環状吸盤を、グリップ式ポンプ様風呂釜洗浄用具の本体の前方の吐出口の周囲に取り付けた風呂釜洗浄用具．
【発明の詳細な説明】
【０００１】
【発明の属する技術分野】
環状吸盤を取り付けた風呂釜洗浄用具。
【０００２】
【従来の技術】
従来の風呂釜洗浄具は、水道の蛇口からホースをひっぱりそれを風呂釜へテーパー状の装具をつけたホース先端部を固着し水流によって汚れを落とすタイプのものと、風呂釜に、手でポンプをあてがい往復運動させる、吐出口と蛇腹状ポンプ部とで成り立つ使い捨てもよしとする簡素なつくりであったものがあった。そしてポンプ式の風呂釜洗浄用具を密着するためには実開Ｓ６３−１７９４８６の風呂釜洗浄用用器に見られるような肩部、リングによるようなものしかなかった。
【０００３】
【特許文献１】
実開Ｓ６３−１７９４８６号公報（第７−９頁、第１図、第２図）
【発明が解決しようとする課題】
従来の風呂釜洗浄用具では、洗剤を効率良く風呂釜内部に留めおくことが困難であった、かつ風呂釜洗浄用具を押した時のみ水流が強く、引くのは洗浄用具の復元力に任せてのものだったので水流が弱く洗浄効率が良くなかった。環状吸盤の付いていなかった風呂釜洗浄用具は洗浄の際、洗剤を風呂釜へ送り込む時、洗剤が周りに溢れ易く、又風呂釜洗浄用具内に湯を取り込む時、風呂釜部外の周りの湯を新たに吸い込み、洗剤を効率良く風呂釜内部に留める事が出来なかった。そして風呂釜と風呂釜洗浄用具を密着するためには実開Ｓ６３−１７９４８６の風呂釜洗浄用用器に見られるような肩部、リングによるものしかなかった。
【０００４】
【課題を解決するための手段】
本発明は風呂釜洗浄用具の吐出口のまわりに環状（ドーナツ状）吸盤を接続する事によって風呂釜と風呂釜洗浄用具を密着させる事ができ、上記課題を解決しえるものである。
【０００５】
【発明の実施の形態】
洗剤を風呂釜洗浄用具の中に充填し吐出口の周りに環状吸盤１とポンプ式風呂釜洗浄用具２あるいは７から成る風呂釜洗浄用具の環状吸盤部を二つ穴式風呂釜の下部の穴に吸着させポンプ運動させ洗剤を送り込む。
洗剤を風呂釜洗浄用具の中に充填し吐出口の周りに環状吸盤１を取り付けた、容器状風呂釜洗浄用具４から成る風呂釜洗浄用具の環状吸盤部を二つ穴式風呂釜の下部の穴に吸着させ、洗剤が発泡しきるのを待つ。
【０００６】
【発明の効果】
二つ穴式風呂釜下部の風呂釜口を、環状吸盤付き風呂釜洗浄用具により完全に密着することにより洗剤が溢れずポンピングにより、又は洗剤の発泡により効率良く風呂釜が洗浄できる。又、風呂釜洗浄用具を再利用するのに適したものになった。
【図面の簡単な説明】
【図１】風呂釜洗浄用具本体の前方の吐出口６の周りに環状吸盤１と後部が蛇腹状ポンプ２から成る風呂釜洗浄用具。
【図２】図１に取っ手５をつけたもの。
【図３】風呂釜洗浄用具の前方の蓋部の吐出口６の周りに環状吸盤１と後部が容器４から成る風呂釜洗浄用具。
【図４】図３に取っ手５をつけたもの。
【図５】風呂釜洗浄用具の前方蓋部３の吐出口６の周りに環状吸盤１と後部が蛇腹状ポンプ２から成る風呂釜洗浄用具
【図６】風呂釜洗浄用具本体の前方の吐出口６の周りに環状吸盤１と後部に蓋３を設けた風呂釜洗浄用具
【図７】図３の用器部４をグリップ式ポンプ７にしたもの。
【符号の説明】
１  環状吸盤
２  蛇腹状ポンプ
３  蓋
４  用器
５  取っ手
６  吐出口
７  グリップ式ポンプ
【図１】
2004176937.tif 000003
【図２】
2004176937.tif 000004
【図３】
2004176937.tif 000005
【図４】
2004176937.tif 000006
【図５】
2004176937.tif 000007
【図６】
2004176937.tif 000008
【図７】
2004176937.tif 000009
(57)【要約】【課題】締結されたねじの接触面に潤滑油等の摩擦係数を低下させる溶剤の浸透等があっても緩みを防止することができる構成のねじを提供する【解決手段】ボルト１の受圧ねじ面１ａに粒径が１０μｍ以下の硬質粒子２を付着させたので、ボルト１の締結後硬質粒子２によりめねじの受圧ねじ面に対し楔効果が発生して緩み止めが形成される。そのためボルトの緩みが防止される。【選択図】        図１
2004176901.tif 000002
【特許請求の範囲】
【請求項１】
ボルトの軸面に形成されたねじ面の内、受圧ねじ面に粒径が１０μｍ以下の硬質粒子を付着させたことを特徴とするボルト。
【請求項２】
前記硬質粒子が、ＷＣ、Ｃｒ３Ｃ２、Ｂ４Ｃ、ＴｉＣ、ＺｒＣ、ＮｂＣ等の炭化物およびＡｌ２Ｏ３、ＴｉＯ２等の酸化物の内の１種以上であることを特徴とする請求項１記載のボルト。
【請求項３】
前記硬質粒子の付着割合が面積比で５〜４０％であることを特徴とする請求項１または２記載のボルト。
【請求項４】
前記硬質粒子を高速火炎溶射方法で付着させたことを特徴とする請求項１または２あるいは３記載のボルト。
【発明の詳細な説明】
【０００１】
【発明の属する技術分野】
本発明は締結用のボルトに関し、詳しくは、緩みを防止することができるボルトに関するものである。
【０００２】
【従来の技術】
締結したねじの緩み止め構造としては、受圧ねじ面に溝を形成し軸力分担部と回転防止部とを分離することによりボルトの緩みを防止する構造が公知である（例えば、特許文献１参照）。
【０００３】
【特許文献１】
特開平１１−３７１３０号公報（第３頁
【００１１】および
【図１】参照）
【０００４】
【発明が解決しようとする課題】
しかしながら、前記文献１における構成においては、めねじ面との接触はねじ山の摩擦で成り立っているため、接触面に潤滑油等の摩擦係数を低下させる溶剤の浸透等があると緩みが生ずるおそれがある。そこで本発明は、締結されたねじの接触面に潤滑油等の摩擦係数を低下させる溶剤の浸透等があっても緩みを防止することができる構成のねじを提供することを課題とするものである。
【０００５】
【課題を解決するための手段】
前記課題の解決を目的としてなされた請求項１の発明は、ボルトの軸面に形成されたねじ面の内、受圧ねじ面に粒径が１０μｍ以下の硬質粒子を付着させたことを特徴とする。また、請求項２の発明は、前記硬質粒子が、ＷＣ、Ｃｒ３Ｃ２、Ｂ４Ｃ、ＴｉＣ、ＺｒＣ、ＮｂＣ等の炭化物およびＡｌ２Ｏ３、ＴｉＯ２等の酸化物の内の１種以上であることを特徴とする。また、請求項３の発明は、前記硬質粒子の付着割合が面積比で５〜４０％であることを特徴とする。また、請求項４の発明は、前記硬質粒子を高速火炎溶射方法で付着させたことを特徴とする。
【０００６】
【作用】
上述のように、請求項１ないし４の発明においては、硬質粒子がねじ締結後の受圧ねじ面に存在する場合、めねじの受圧ねじ面に対し、楔効果が発生し緩み止めが形成される。すなわち、締結力により硬質粒子がボルトおよびめねじの受圧面に変形しながら食い込むため楔の役目を果たして緩みが防止される。硬質粒子の大きさは１０μｍを超えるとねじ締結時に障害となるため１０μｍ以下が望ましい。硬質粒子の付着量は面積割合で２％未満では緩み止め効果がなく、４０％を超えるとねじ締結時に隙間が発生しやすいため、５〜４０％が望ましい。硬質粒子の付着方法としては、受圧ねじ面にだけ硬質粒子を付着させる必要があるため、接着剤による付着もあるが受圧ねじ面に向けて一方向の吹き付けができることから溶射方法が望ましい。溶射方法としてはプラズマ溶射や高速火炎溶射方法があるが、ボルト自身に熱影響を与えず確実に項知る粒子を付着させるには高速火炎溶射方法が望ましい。高速火炎溶射方法は、２０００〜３０００℃の可燃性ガスの燃焼炎で、溶射粒子の飛行速度が４００ｍ／秒以上の条件で吹き付けるため、硬質粒子は確実に受圧ねじ面に付着する。
【０００７】
【発明の実施の形態】
本発明の望ましい実施形態について図面を参照して説明する。図１において、ボルト１に螺刻されたねじ山の上側、すなわち、斜線で示す受圧ねじ面１ａには粒径が１０μｍ以下の硬質粒子２が付着されている。この硬質粒子２は緩み止めの効果を有するものであれば何でもよいが、特に、ＷＣ、Ｃｒ３Ｃ２、Ｂ４Ｃ、ＴｉＣ、ＺｒＣ、ＮｂＣ等の炭化物およびＡｌ２Ｏ３、ＴｉＯ２等の酸化物の内の１種類以上により構成されるのが望ましい。また、硬質粒子２の付着量は、特に制限はないが面積比で２〜４０％が効果的であることが実験的に確認されている。硬質粒子２の付着方法については、接着やプラズマ溶射などがあるが、受圧ねじ面１ａだけに付着させる方が、使用する硬質粒子量および付着させるための工数等において経済的なので、高速火炎溶射方法が望ましい。図２は硬質粒子の粒径が３μｍのＷＣを面積割合が１０％になるように溶射した受圧ねじ面の面粗度の測定結果である。
【０００８】
【発明の効果】
本発明は上述の、ように構成されているので以下の効果を奏する。すなわち、請求項１ないし３の発明においては、ボルトの受圧ねじ面に粒径が１０μｍ以下の硬質粒子を付着させたので、ボルトの締結後硬質粒子によりめねじの受圧ねじ面に対し楔効果が発生して緩み止めが形成される。そのためボルトの緩みが防止される。また、請求項４の発明においては、硬質粒子を高速火炎溶射方法で付着させるようにしたので、ボルト自身に熱影響を与えず、受圧ねじ面だけに硬質粒子を付着させることが出来るため、製造工数がかからず経済的である。
【図面の簡単な説明】
【図１】図１（ａ）は本発明の一実施形態に係るボルトの正面図である。
図１（ｂ）はその受圧ねじ面の拡大斜視図である。
図１（ｃ）はその断面Ａ−Ａの概念図である。
【図２】本発明に係るボルトの受圧ねじ面の面粗度測定結果である。
【符号の説明】
１    ボルト
１ａ  受圧ねじ面
２    硬質粒子
【図１】
2004176901.tif 000003
【図２】
2004176901.tif 000004
(57)【要約】【課題】発生トルクや耐久性能を一定かつ安定せしめることができるヒンジを提供する。【解決手段】機器本体に取り付けられる支持部材１と、該支持部材１に形成された軸受部１ｂに回動可能に取り付けられると共に開閉部材を取り付ける回転軸２と、上記軸受部２に連続して開設されたスリット１ｂ−２と、該スリット１ｂ−２の両側の軸受部を締め付けて上記回転軸２に摩擦トルクを発生せしめる手段、から成る。【選択図】        図１
2004176840.tif 000002
【特許請求の範囲】
【請求項１】
機器本体に取り付けられる支持部材と、該支持部材に形成された軸受部に回動可能に取り付けられると共に開閉部材を取り付ける回転軸と、上記軸受部に連続して開設されたスリットと、該スリットの両側の軸受部を締め付けて上記回転軸に摩擦トルクを発生せしめる手段、から成ることを特徴とするヒンジ。
【請求項２】
上記摩擦トルク発生手段が、締付けネジであることを特徴とする請求項１に記載のヒンジ。
【請求項３】
上記スリットの先端部に撓み孔を形成したことを特徴とする請求項１または２に記載のヒンジ。
【発明の詳細な説明】
【０００１】
【発明の属する技術分野】
本発明は、ノート型パソコン等の開閉部分に設けられるヒンジに関する。
【０００２】
【従来の技術】
従来のこの種のヒンジとしては、図４に示すように、ディスプレイ等の開閉部材を取り付けた回転軸Ｓを、機器本体に取り付けた保持プレートＰのカール部により包囲し、該保持プレートＰの延長部を締付けネジＮにより調節自在に締め付けて、該保持プレートＰにより回転軸Ｓを所望の摩擦トルクで回転自在に保持するヒンジがあった。
【０００３】
【発明が解決しようとする課題】
しかしながら、上記従来のヒンジは、保持プレートＰのカール部の細部形状が、材料板厚のバラツキやプレス機へのセッティングの状況により、生産ロット間でバラツキが生じてトルク発生部の面接触が均一になりにくく、トルク調整時にネジＮの締め付けトルクを一定にしても、発生トルクが一定にならず、その結果、ネジ締めの微調整が必要になるだけでなく、耐久性能にもバラツキが生じ易い等の問題点があった。
【０００４】
本発明は、上記従来の問題点を解決するためになされたもので、その目的とするところは、発生トルクや耐久性能を一定かつ安定せしめることができるヒンジを提供することにある。
【０００５】
【課題を解決するための手段】
本発明のヒンジは、機器本体に取り付けられる支持部材と、該支持部材に形成された軸受部に回動可能に取り付けられると共に開閉部材を取り付ける回転軸と、上記軸受部に連続して開設されたスリットと、該スリットの両側の軸受部を締め付けて上記回転軸に摩擦トルクを発生せしめる手段、から成ることを特徴とする。また、上記摩擦トルク発生手段が、締付けネジであることを特徴とする。さらに上記スリットの先端部に撓み孔を形成したことを特徴とするものである。
【０００６】
【発明の実施の形態】
以下、本発明の実施の形態について、図面を参照しながら説明する。
図１〜図３において、１は支持部材、２は回転軸、３は締付けネジ、４は止め輪である。
【０００７】
上記支持部材１は、機器本体（図示せず）に取り付けられるベースブレート１ａと、該ベースプレート１ａに一体的に設けられている軸受部１ｂから構成されている。上記軸受部１ｂには、上記回転軸２を回転自在に支持する軸受孔１ｂ−１と、該軸受孔１ｂ−１に連続して開設されたスリット１ｂ−２と、該スリット１ｂ−２の先端部に形成された撓み孔１ｂ−３が形成されている。
【０００８】
図２から明らかなように、上記締付けネジ３は、上記スリット１ｂ−２のほぼ中間部を横断するように、上記軸受部１ｂに螺設されている。この場合、締付けネジ３は、上記スリット１ｂ−２より頭部３ａ側では軸受部１ｂに螺合せず、スリット１ｂ−２より先端側において螺合するようになっている。従って、締付けネジ３によりスリット１ｂ−２部分を締め付け調整することにより、上記回転軸２の摩擦トルク力を調節することができる。上記撓み孔１ｂ−３を形成したことにより、上記スリット１ｂ−２部分を撓み易くしている。
【０００９】
【発明の効果】
１）機器本体に取り付けられる支持部材と、該支持部材に形成された軸受部に回動可能に取り付けられると共に開閉部材を取り付ける回転軸と、上記軸受部に連続して開設されたスリットと、該スリットの両側の軸受部を締め付けて上記回転軸に摩擦トルクを発生せしめる手段、から成るので、発生トルクや耐久性能を一定かつ安定せしめることができる。
２）締付けネジにより、容易かつ迅速にトルク摩擦力を調節することができる。
３）スリットの先端部に撓み孔を形成したに構成したので、スリットが撓み易い。
【図面の簡単な説明】
【図１】本発明のヒンジの一実施例を示す平面図（Ａ）および正面図（Ｂ）である。
【図２】図１のイ−イ断面図である。
【図３】図１のロ−ロ断面図である。
【図４】従来のヒンジの説明図である。
【符号の説明】
１  支持部材
１ａ  ベースプレート
１ｂ  軸受部
１ｂ−１  軸受孔
１ｂ−２  スリット
１ｂ−３  撓み孔
２  回転軸
３  締付けネジ
３ａ  頭部
３ａ  弧状凹部
４  止め輪
【図１】
2004176840.tif 000003
【図２】
2004176840.tif 000004
【図３】
2004176840.tif 000005
【図４】
2004176840.tif 000006
(57)【要約】【課題】水道水など小水力の利用はエネルギーが小さいことで産業界で利用されていないが、発電と充電など小エネルギーの利用ができる製品の開発。【解決手段】前記課題を解決するため、ホース発光・充電器を開発した。この装置は、水道水などの持つ圧力などの潜在エネルギーを電気や機械力として活用する手段である。【選択図】          図１
2004176558.tif 000002
【特許請求の範囲】
【請求項１】
（１）円錐状高圧室１ケーシング２に高圧室に連通する導流管３を連設し、かつ円錐状高圧室の先端にその中心線に沿って排出管４を連設し、同高圧室の排出管の反対側は中心に軸受９を配置した壁を連設し、同高圧室内に回転軸５挿通支承すると共に同回転軸に固定されたワッシャー型羽根６を当該高圧室１内に配置し、上記回転軸５から外部に回転力を取り出すことを特徴とするホース発光・充電器。
（２）ケーシング２の軸受９より外部に突き出た回転軸５にジョイント８を介して発電機１０を連設しさらにフォトダイオード付き電池ボックス１１を接続することを特徴とするホース発光・充電器。
（３）発電機１０に充電可能な電池を半導体ダイオードに接続し、発光と充電可能な回路とすることを特徴とするホース発光・充電器。
以上、（１）、（２）、（３）、の構成からなる装置を特徴とするホース発光・充電器。
【発明の詳細な説明】
【０００１】
【発明の属する技術分野】
本発明は、小水力の利用による発電で、フォトダイオードを発光し充電可能電池の充電作用を行うものである。
【０００２】
【従来の技術】
従来、この種の装置は小エネルギーで効率が良くないという点で無視されてきた。従って、未開発の分野である。
【０００３】
【発明が解決しようとする課題】
小エネルギーの利用と小エネルギーの保存装置を提供することにある。
【０００４】
【課題を解決するための手段】
上記目的を達成するための手段として、この発明は図１に示すように、円錐状高圧室１を有するケーシング２に当該高圧室に連通する導流管３を連設し、かつ同高圧室の中心線に沿って排出管４を連設し、軸受９より回転軸５をワッシャー型羽根６を植設した回転軸５を高圧室内に配置し、高圧室から軸受９を通り外部に突き出た回転軸５に発電機１０をジョイント８を介して接続し、発生した電力で発光と充電可能電池の充電を作動する。
【０００５】
【発明の実施の形態】
発明の実施の形態を実施例に基づき図面を参照して説明すると、図１はホース発光・充電器の正断面図、図２は円錐状高圧室１と導流管３および回転軸５の構成図、図３は回転軸５とワッシャー型羽根６の実施例を示す斜視図、図４は発電機とダイオード及び充電可能電池の接続の実施例を示す配線図である。
【０００６】
図１において、円錐状高圧室１を有するケーシング２には高圧流体を導くため導流管３が連設されて、高圧室１の中心線に沿って排出管４が連設されている。また同高圧室内にワッシャー型羽根６を固着した回転軸５が軸受９に支障され回転自在に支持されている。
【０００７】
次に、導流管３より送り込まれた高圧流体は、円錐状高圧室に流入し、渦上に回転しながら排出管４より流出する。回転軸５に固着された羽根６が渦流の中にあって渦流を回転力として変換し回転軸５に伝達される。
【０００８】
上述のように円錐状高圧室１において流体の圧力エネルギーは運動エネルギーに変換され、回転軸５はジョイント８を介して発電機１０と連結されている。
【０００９】
【発明の効果】
本発明は、以上説明したように構成されているので、以下に記載されるような効果を奏する。
【００１０】
水道水の利用は普通のホースとほぼ同じ利用が出来、夜間は照明、昼間は充電可能電池の充電として利用出来る効果がある。
【００１１】
そして、このような効果を有することにより、この発明に係わるホース発光・充電器は、簡単な構造で、小型化できるなどの効果がある。
【図面の簡単な説明】
【図１】ホース発光・充電器の正断面図である。
【図２】円錐状高圧室・導流管・排出管の構成図である。
【図３】回転軸・ワッシャー型羽根の構成斜視図である。
【図４】発電機とダイオード及び充電可能電池の接続実施を示す配線図である。
【符号の説明】
１  円錐状高圧室
２  ケーシング
３  導流管
４  排出管
５  回転軸
６  ワッシャー型羽根
７  導流管と円錐状高圧室との境界面
８  ジョイント
９  軸受
１０  発電機
１１  フォトダイオード付充電用電池箱
１２  窓
【図１】
2004176558.tif 000003
【図２】
2004176558.tif 000004
【図３】
2004176558.tif 000005
【図４】
2004176558.tif 000006
(57)【要約】【課題】この考案は、建物の外装れんが壁を、建物の外壁に緊結する金物に伸縮性を持たせ、地震発生時に地震動の緩衝と減衰により、地震力がれんが壁に与える振動する水平力を低減するよう考案した緊結金物に関するものである。【解決手段】木造建物の場合、木ねじ１によりＬ形金物２、ばね３を建物外壁の軸材に固定し、さらにばね３をフック４でれんが壁の補強鉄筋に緊結する。または、上記の木ねじ１により粘弾性体３−１を長尺Ｌ型金物２−１と短冊金物５との間に接着した金物を建物外壁の軸材に固定し、さらにその金物をフック４により、れんが壁補強鉄筋に緊結する。ＲＣ造建物の場合は、埋込みアンカーボルト６と高ナット７を接合して、コンクリート打設前に埋込んで置き、型枠取外しの後上記２、３、のばね金物または２−１、３−１、５の粘弾性体接着金物をＲＣ造建物の外壁に固定し、以降は上記と同様にれんが壁の補強鉄筋にフック４で緊結する。【選択図】図１
2004176522.tif 000002
【特許請求の範囲】
【請求項１】
（１）木造建物の場合、十字穴付き丸木ねじにより建物外壁の柱、梁、土台等の軸材にＬ型金物を固定する。
（２）弾性体をＬ型金物に接合する。長尺Ｌ型金物と短冊金物を丸木ねじにより外壁の柱等軸材に固定する。
（３）上記の金物と外装れんが壁補強鉄筋のヨコ筋とをフックで接合する。
（４）鉄筋コンクリート造建物の場合、埋込みアンカーボルト及び高ナットをコンクリート打設前の型枠に仮付けしておき、型枠取外し後十字穴付きなべ小ねじにより前記Ｌ型金物を固定する。
以上の如く構成された制振装置により地震発生時の地震動が外装れんが壁に加える水平力を低減する装置。
【発明の詳細な説明】
【０００１】
【発明の属する技術分野】
建物の外装れんが組張り仕上げ構法による壁体に作用する地震力を低減することを目的とする、れんが壁制振緊結金物に関するものである。
【０００２】
【従来の技術】
建物と外装れんが組張り壁体とを直接薄肉鋼板または鋼線等で緊結するもので、伸縮性能を持たせていないため建物の振動による水平力が直接外装壁体に作用し、損傷の原因となり易い欠点があった。
【０００３】
【発明が解決しようとする課題】
地震動による外装れんが壁への水平力を低減する装置を考案し、建物外壁と外装れんが組張り壁体とを緊結する伸縮性を持たせた緊結金物を開発し壁体の安全を図る必要があった。
【０００４】
【課題を解決するための手段】
外装れんが壁と建物外壁とを緊結する装置に
（１）引張コイルばね型制振緊結金物（緩衝装置）
（２）粘弾性体型制振緊結金物（緩衝減衰装置）
を適宜に併用し、外装壁体に作用する地震力を低減する。
大地震に遭遇した場合、外装壁体に損傷を生じても倒壊はしないことを考慮する制振緊結金物として課題を解決している。
【０００５】
【発明の実施形態】
弾性体としてばねを使用する場合、図１に例示するとおり、木造建物の例では、十字穴付き丸木ねじ１により、Ｌ型金物２を建物外壁の柱、梁、等に固定する。弾性体としての引張コイルばね３をＬ型金物２に取り付け、フック４によりばね３をれんが壁補強ヨコ筋に緊結する。
【０００６】
弾性体として粘弾性体を使用する場合、図２に例示するとおり、木造建物の例では粘弾性体３−１を長尺Ｌ型金物２−１と短冊金物５との間に接着した部品を十字穴付き丸木ねじ１により、建物外壁の柱、梁、等に固定する。次にフック４により、れんが壁補強ヨコ筋に弾性体を接着した金物、長尺Ｌ型金物２−１、粘弾性体３−１、短冊金物５と、れんが壁補強ヨコ筋とを緊結する。
【０００７】
鉄筋コンクリート造建物の場合は、コンクリート壁打設前に型枠に図３に示す埋込みアンカーボルト６、高ナット７を取付けておき、型枠の取外し後十字穴付きなべ小ねじ８によりＬ型金物２又は２−１を鉄筋コンクリート外壁に固定する。以降は前記手順と同様である。
以上、図１及び図２の実施例では弾性体３の構造として引張コイルばねと粘弾性体を示したが、弾性体としてはこの例示以外にゴム等の弾性体の使用は勿論可能である。
【０００８】
構造計算
緊結金物が必要とする性能は使用するれんが壁の重量によって変化する。また、想定する地震の程度は大地震（文献−建物の耐用年限中に一度遭遇するかも知れない程度の地震−関東大震災級の地震−最大加速度約３００〜４００ｇａｌ、兵庫県南部地震−中央区、長田区の建築物最下層の床で観測された最大加速度−３００〜３５０ｇａｌ、日本建築センター  建築物の構造規定１９９７年版２．３．１  設計用地震力）を想定し、水平震度ｋ＝０．５として行ってある。
【０００９】
【発明の効果】
伸縮性能を持つ本緊結金物は水平震度ｋ＝０．５（約５００ｇａｌ相当）として設計してあり、地震動に対する安全性は大きく増大し耐震の程度も構造計算書により明示できる。
緊結金物、れんが壁、建築物の地震発生時の挙動は振動実験により確かめることが可能である。この実験の準備は、Ｈ研究機関のご指導をいただき、受託実験を依頼するための実験計画を進行させている。
【図面の簡単な説明】
【図１】ばね型制振緊結金物の設置例を示す図
【図２】粘弾性体型制振緊結金物の設置例を示す図
【図３】埋込みアンカーボルトの設置例を示す図、ＲＣ造建物の場合に使用
【符号の説明】
１．木ねじ
２．Ｌ型金物
３．引張コイルばね
４．フック
２−１．長尺Ｌ型金物
３−１．粘弾性体
５．短冊金物
６．アンカーボルト
７．高ナット
８．小ねじ
【図１】
2004176522.tif 000003
【図２】
2004176522.tif 000004
【図３】
2004176522.tif 000005
(57)【要約】【課題】（従来抱えていた問題点）今迄は、金庫や貴重品保管庫を盗み出そうとする犯人を事前にセンサー等により察知して、警備員詰所や管理センターに警報等で知らせても、警備員や保安要員が犯行現場に到着するまでの約５分間以内に犯行が終了しており、金庫や貴重品保管庫は犯人と共に持ち去られてしまうことが課題であった。【解決手段】（発明の要約）本発明は、従来抱えている問題点である盗難遂行を未然に防止し、強盗犯人逮捕を促進する手段として、犯行現場への犯人侵入を瞬時に検知すると同時に犯人の動作を鈍らせるための催涙ガスや催眠ガスと同時に犯人の体や衣服に着色する液体を犯人に向かって瞬時に噴射ノズルにより吹きかけて、犯人の動作を鈍らせると共に犯人に着色による目印をつけて逃亡を困難にする装置を提供するものである。【選択図】        図１
2004176523.tif 000002
【特許請求の範囲】
【請求項１】
催涙ガス、催眠ガス、着色液体等を金庫または貴重品保管庫強盗犯人がその目的物に近づく直前に瞬時に吹きかけて犯人の動作を鈍らせたり、犯人に目印を付ける装置。
【発明の詳細な説明】
【０００１】
【発明の属する技術分野】
本発明は、金庫及び貴重品保管庫の周辺に催涙ガス、催眠ガス、着色液体等を瞬時に吹き出すノズルを設置して、盗難寸前の犯人を検知すると同時にこれ等の流体を犯人に吹きかけて犯人の動作を鈍らせたり、犯人の体や衣服を着色させ、時間を稼いでこの間に犯人逮捕を促進する防犯装置に関するものである。
【０００２】
【従来の技術】
従来は、金庫または貴重品保管庫の周辺にはこれらに近付いた犯人を検知するセンサー等を設置して警報を鳴らして警備員詰所や管理センター等に犯人の侵入を知らせる装置しかなく、係員が盗難現場に到着する５分程度の時間内に金庫や貴重品保管庫が盗み出され、犯人共々逃げられてしまう場合が殆どであった。
【０００３】
【発明が解決しようとする課題】
今迄は、金庫や貴重品保管庫を盗み出そうとする犯人を事前に察知して、警備員詰所や管理センターに警報等で知らせても、係員が犯行現場に到着する迄の間に犯行が終了しており、金庫や貴重品保管庫は犯人と共に持ち去られてしま事が課題であった。本発明は、上記課題を解決するために、犯行が遂行される直前に犯人にダメージを与えて、犯人逮捕に継なげようとするものである。
【０００４】
【課題を解決するための手段】
従来の防犯対策の欠点である強盗犯人が現場に侵入してから、これを検知して警報により警備などの担当員が犯行現場に駆けつける迄の５分程度の間に犯行を終了してしまい、金庫や貴重品保管庫が犯人と共に持ち去られ、犯人逮捕もできないのが常であった。本発明は、これらの盗難を未然に防止し、犯人逮捕を促進する手段として、現場への犯人侵入を検知すると同時に、犯人の動作を鈍らせるための催涙ガスや催眠ガスと同時に犯人の体や衣服に着色する液体を犯人に向かって瞬時に噴霧ノズルにより吹きかけて、犯人の動作を鈍らせると共に、犯人に目印を付けて、逃亡を困難にする装置を提供するものである。
犯人の動作が鈍っている間に警備担当員が現場に到着して犯人を逮捕し、金庫や貴重品保管庫盗難を未然に防ぐ事を可能にするものである。
【０００５】
【発明実施の形態】
添付図面１に従って本発明装置の説明を行う。
図１は装置全体システムの説明図を示す。センサー１により侵入犯人２をキャッチし信号伝達回路３により防犯や設備管理所１６に盗難犯行開始を知らせると同時にセンサー１の信号をガス配管４及び液体配管５の途中にある電磁弁６及び７に送り、弁を開にして圧力容器８及び９中に貯留してある催涙または催眠ガス１１及び着色液体１２を配管を通して、被盗難物１０の周辺に多数設置したノズル１３及び１４により瞬時に犯人２に向けて噴出させ犯人２の感覚を一時麻痺させ、動作を鈍らせて時間を稼ぎ、更に犯人２の体や衣服に着色液体を吹きかけている間に警官や警備係員が、犯行現場に駆けつけて犯人２を捕獲に至らしめるものである。圧力容器８には圧縮ガス、９には着色液と圧縮空気を１０分以上噴出可能量充填しておくか、別の圧縮空気１７を９まで配管しておいてもよい。なお、ノズル２の数は適宜に、犯人を十分カバーできてしかも遮蔽壁１５等で犯人２の目につかない被盗難物１０の周辺でガスや液体の噴射時に、ガスや液体が犯人の行動範囲に到達し得る範囲内に設置することが重要である。装置に使用される機器は、すでに市販されているもので充分対応可能であり、個々の設置場所などについては、装置設計者サイドで被盗難物が設置されている状況を考慮して決定すれば良い。
【０００６】
【発明の効果】
本発明は、従来の技術と比べて金庫や貴重品保管庫を強奪しようとする強盗犯人を犯行直前に動作を鈍らせる事により、犯行に要する時間を長引かせ、この間に警備担当員や警察官が現場に到着して犯人を取り押さえ、逮捕効率をアップすることができるものである。
従来の方法では短時間に容易に強盗犯人を金庫や貴重品保管庫を取り逃がしていた事が殆どであった。本発明では、金庫や貴重品保管庫の盗難を未然に防ぐ事により、損害を大幅に減少する事ができ、その効果は膨大である。
【図面の簡単な説明】
【図１】本発明システムの説明図
【符号の説明】
１…センサー、２…犯人、３…信号伝達回路、４…ガス配管、５…液体配管
６…電磁弁、７…電磁弁、８…ガス用圧力容器、９…液体用圧力容器
１０…被盗難物、１１…着色液体、１２…ガス用ノズル、１３…液体用ノズル
１５…遮蔽壁、１６…設備管理所、１７…圧縮空気
【図１】
2004176523.tif 000003
(57)【要約】【課題】地下構築物、特に、地下鉄構内の天井漏水処理に最適な漏水補修用パネルの取付構造の提供。【解決手段】天井のコンクリート壁Ａに打込んだアンカーボルト１にナット締め等によって横架固定された取付バー２と、該取付バー２及び両側面のコンクリート壁Ｂに固定された複数個の端面四角形の取付金具３有する長尺の端縁枠部材４と、複数の導水パネル５とからなり、各導水パネル５の端縁部を前記端縁枠部材に挿嵌した。【選択図】        図１
2004176520.tif 000002
【特許請求の範囲】
【請求項１】
天井のコンクリート壁Ａに打込んだアンカーボルト１と、該アンカーボルト１にナット締め等によって横架固定された取付バー２と、該取付バー２及び両側面のコンクリート壁Ｂに固定された複数個の端面四角形の取付金具３と、該取付金具３に夫々装着固定された、上部に取付片４ａを、下部に溝部４ｂを有する長尺の端縁枠部材４と、複数の導水パネル５とからなり、各導水パネル５の端縁部を前記端縁枠部材４に挿篏してなる天井壁に対する漏水補修用パネルの取付構造。
【発明の詳細な説明】
【０００１】
【発明の属する技術分野】
本発明は、地下構築物、特に地下鉄構内の天井漏水処理工事に有益な補修用パネルの取付構造に関するものである。
【０００２】
【従来の技術】
地下鉄構内の壁面からの漏水対策として、壁面に直接、補修用パネルを取付けて漏水処理を施している事例はあるが、天井の漏水対策として天井壁に補修用パネルを取付け、使用されている事例は全く存在しない。
【０００３】
【発明が解決しようとする課題】
地下鉄構内の天井漏水に対しては、漏水部分のコンクリート壁を撤去し、新しく天井壁を作り直す手法が行われているが、この方法によると、作業期間が長期に亘り、時間的な制約を受ける地下鉄構内という特殊な事情に鑑み、作業性が悪く、しかも産業廃棄物の発生及びその処理等の面倒な作業が内在している従来の手法では、著しく工事のコスト高を招く大きな欠点がある。
【０００４】
本発明は漏水補修対策として有効な導水パネルを、漏水部の天井壁に簡便且つ強固に装着することによって、前記従来の欠点を一掃し得る新規の天井壁に対する補修用パネルの取付構の提供を目的としたものである。
【０００５】
【課題を解決するための手段】
本発明は、前記の目的を達成する手段として、天井のコンクリート壁Ａに打込んだアンカーボルト１と、該アンカーボルト１にナット締め等によって横架固定された取付バー２と、該取付バー２及び両側面のコンクリート壁Ｂに固定された複数個の端面四角形の取付金具３と、該取付金具３に夫々装着固定された、上部に取付片４ａを、下部に溝部４ｂを有する長尺の端縁枠部材４と、複数の導水パネル５とからなり、各導水パネル５の端縁部を前記端縁枠部材４に挿篏した。
【０００６】
【発明の実施の形態】
本発明の具体的な構造を、図にもとづいて説明すると、天井のコンクリート壁Ａに打込んだアンカーボルト１にナット６で取付バー２を固定し、この取付バー２及び両側のコンクリート壁Ｂに固定した端面四角形状の短筒の取付金具３を固定する。この取付金具３の固定手段としては、前記取付バー２に対しては熔着か螺子止めがあり、又側面のコンクリート壁  Ｂに対しては、該コンクリート壁Ｂに打込んだ拡径アンカ７にナット８を締着することで固定する。前記取付金具３に対して上部に取付片４ａを、下部に溝部４ｂを有する長尺の端縁枠部材４をビス９によって固定し、この端縁枠部材４内に各導水パネル５の端縁部を挿嵌し、側方の間隙部１０をモルタル１１によって閉塞する。
【０００７】
而して、前記導水パネル５は、合成樹脂製で、中央の仕切板５ｂを介して、上部に多数の中空ブロック５ｃを配列し、各中空ブロック５ｃ間に導水路５ｄを有し且つ、前記中空ブロック５ｃ上に不燃布５ｅを貼着してなる第１パネル５ａと、下部に仕切板５ｂと下側の表面板５ｇとの間の空間部５ｈに、多数の傾斜リブ５ｉを連続的に配設してなる第２パネル５ｆとから構成されており、天井のコンクリート壁Ａから漏れた水は、前記導水路５ｄによって所定の排水溝に誘導され、又端縁枠部材４の溝部４ｂに流出した水も該溝部４ｂの誘導によって排水溝に排出されるようになる。
【０００８】
【発明の効果】
本発明は、前記の構成によって、以下に列挙する諸効果を有する。
（１）天井のコンクリート壁Ａに打込んだアンカーボルト１に、取付バー２を固定し、この取付バー２と、側面のコンクリート壁Ｂに取付金具３を固定すると共に、取付金具３に装着した端縁枠部材４に各導水パネル５の端縁部を挿嵌するだけで取付作業が完了し、作業が簡便で、時間的な制約を受ける地下鉄構内の天井漏水補修工事として最適であり、しかも、アンカーボルト１、取付バー２及び端縁枠部材４によって各導水パネル５は確実且つ安定的に支持される。
（２）漏水部分の天井のコンクリート壁Ａを撤去する必要がなく、産業廃棄物の発生を抑制し得るものであって、作業の簡便さと相俟って、工事コストを著しく削減し得る利点を有する。
（３）天井壁Ａからの漏水は、導水パネル５の導水路５ｄ及び端縁枠部材４の溝部４ｂの誘導によって所定の排水溝に排出されるようになり、しかも導水パネル５の仕切板５ｂによって第２パネル５ｆに水が漏れる虞れが全くなく、完全な漏水処理機能を発揮する。
【図面の簡単な説明】
【図１】本発明の要部を示す横断面図
【図２】取付金具及び端縁枠部材の斜視図
【符号の説明】
１    アンカーボルト
２    取付バー
３    取付金具
４    端縁枠部材
５    導水パネル
【図１】
2004176520.tif 000003
【図２】
2004176520.tif 000004
(57)【要約】【課題】環境問題や家計からの家庭での節水にあたり、中水を手動で利用する人が増えているが、家庭用のトイレ用タンクは中水利用用に開発されておらず、節水するのに大変な手間が掛かる。【解決手段】トイレ用タンクを中水保存用タンク（１）と洗浄水保存用タンク（２）の２層式にし、中水を中水保存タンクに一定量保存できるようにすることにより、家庭での中水利用での手間を軽減させるようにしたものである。【選択図】  図１
2004176512.tif 000002
【特許請求の範囲】
【請求項１】
手動式に注ぎ込む中水と上水を保存するタンク（１）と便器洗浄水を保存するタンク（２）を連結させ、洗浄レバー（Ａ）を操作することにより、便器洗浄と中水保存用タンク（１）から洗浄水保存用タンク（２）への注水、及び上水吐水口（Ｋ）から中水保存用タンク（１）への注水を連動させ、中水と上水の両方利用できるトイレ用２層式タンク。
【発明の詳細な説明】
【０００１】
【産業上の利用分野】
本発明は、トイレ用タンクを中水保存用タンクと洗浄水保存用タンクの２層にしたトイレ用２層式タンクに関するものである。
【０００２】
【従来技術】
従来、家庭用のトイレタンクは、浄水用の１層式タンクのみで、最近の環境問題に対して、水の使用量は改良を重ねて少なくなって来ているとは思うが、オフィスビルやマンションなどの大型建築物などに採用されている中水を使用する仕組みにはなっていない。
【０００３】
環境問題などから最近は手動で中水をトイレの洗浄水として使用する人も増えてきているがバケツに汲み置きすることやタンクに使用時毎に水を汲み入れるのは、手間がかかり困難である。
【発明が解決しようとする課題】
【０００４】
手動で中水を利用するにあたっての手間や困難を軽減し、家庭での節水を促進するできるようにすることが課題である。
【０００５】
【課題を解決するための手段】
上記課題を解決するための手段は、トイレ用タンクを中水保存タンク（１）と洗浄水保存タンク（２）２層式にし、家庭から出る中水を中水保存タンクで一定量一括して溜め、使用時毎の中水汲み入れ作業を軽減するものである。
【０００６】
上層を中水保存用タンク（１）とし、下層を洗浄水保存用タンク（２）として、中水保存用タンク（１）から洗浄水保存用タンク（２）への水の流れをつくるようにした。洗浄レバー（Ａ）を操作することにより、洗浄水止水栓（Ｂ）が上がり、洗浄水が便器に排出され、洗浄水用タンクの水位が下がる。洗浄水用タンクの水位が下がることに連動し、固定回転接合部（Ｄ）を中心に浮き（Ｃ）の浮力がなくなり重力の力で下がり、回転接合部（Ｅ）も下がる。回転接合部（Ｅ）が下がることに連動し、固定回転接合部（Ｇ）を中心に回転接合部（Ｆ）が下がり、上水止水栓（Ｊ）が開口し、上水吐水口（Ｋ）より中水保存用タンク（１）に上水が注入される。固定回転接合部（Ｇ）を中心に回転接合部（Ｆ）と反対側の部分は上がり、中水用止水栓（Ｈ）が上がり、中水保存用タンクから洗浄水保存用タンクへ水が注水されるものである。
【０００７】
図１は、満水時の各設備静止状態を示し、図２は、洗浄時の設備操作状態及び水の流動方向を矢印で示したものである。
【０００８】
基本的に、洗濯すすぎ後の水などの中水は手動式で上層の中水保存タンクに中水注入口（３）より、洗濯すすぎ後の水などをまとめて一定量注入させるものだが、上水も注入できる機構によって、中水と上水の両用を可能にし、中水が不足している時は、上水で洗浄を行えるようにしている。図は簡略化してあるが、実際は、中水保存用タンク（１）の水の保存量は、洗浄水保存用タンク（２）の３倍から４倍を想定している。
【０００９】
【発明の効果】
本発明により、大型建築物に採用している中水利用設備を導入しなくても、家庭で手軽に節水が可能となり環境問題にも貢献できる。
【図面の簡単な説明】
【図１】満水時静止状態
【図２】洗浄時操作状態
【符号の説明】
１  中水保存用タンク
２  洗浄水保存用タンク
３  中水注入口
４  ごみ収集網
５  最高水位線
６  任意時水位線
Ａ  洗浄レバー
Ｂ  洗浄水止水栓
Ｃ  浮き
Ｄ  固定回転接合部
Ｅ  回転接合部
Ｆ  回転接合部
Ｇ  固定回転接合部
Ｈ  中水止水栓
Ｊ  上水止水栓
Ｋ  上水吐水口
Ｌ  オーバーフロー管
【図１】
2004176512.tif 000003
【図２】
2004176512.tif 000004
(57)【要約】【課題】医療機関における医療費抑制等により、有床医療機関等における環境設備の改築は非現実なものとなっており、当然、悪化の一途であり、安値で迅速を可能とした改築は急務といえる。【解決手段】既存の環境を破壊する事無く、有効活用した上、ユニット、分割化した病室や処置室をその環境下にはめ込む事で迅速化を図った。つまりは、既存の設備構造などもそのままの活用が可能となり、結果、安値で迅速で簡素な病室や処置室等の改修工事を医療機関側へ提供する事が可能となり、医療機関はより快適な空間の提供を受ける事が可能となった。更に、喫煙スペースをプリペードカード等での対応とする事等で、スペースの管理運営を行い、一つのサービス空間とし、利用者へは快適性、他の人へは喫煙がもたらす弊害の排除、施設や機関へは運営の経費削減と、管理の簡素化を提供し、結果、施設スペースの有効活用を目的とし、ユニット式で施工する事で迅速な改修作業を現実とする事を目的とした。【選択図】図１
2004176516.tif 000002
【特許請求の範囲】
【請求項１】
医院や有床医療機関において、既存の設備等を利用し、予め設備機器等を組込まれたユニットを搬入、組立により、病室の改装を容易で迅速なものとした病室用のユニットシステム。
【請求項２】
上記ユニットにおいて、既存のスペースや空き病室を利用して、プリペイドカード等の記録カードを用い入室や利用を可能とし、又は更に併せて自動販売機の利用についても利用者の制限を設け、管理した喫煙ルームで、それをユニット式とする事で、設置工事を容易としたシステム。
【請求項３】
医療機関における、外来透析治療においてもその設備をユニット、分割化し、予め給水、排水パイプ等を組込んでおく事で改築工事を容易で迅速なものとしたシステム。
【発明の詳細な説明】
【０００１】
【発明の属する技術分野】
本発明は、有床医療機関などの施設において、ユニット化する事により既存の設備や状況を殆ど変える事無く、改築、改装を容易で迅速な対応を目的とした。
【０００２】
喫煙ルームについても、単に区切られただけのものではなく、換気扇等を予め組込んだユニットを組立て、一つの喫煙ルームとし、若しくは更に、喫煙者等の利用者をプリペイドカード等を用い管理制限する事で、喫煙行為の抑制や管理を可能とした。
【０００３】
【従来の技術】
現在、医療機関において病室等の改築改装は、患者への影響や医療従事者への業務抑制など、様々な問題が生じており、中々容易なものとはならず、施工行為は非常に困難なものとなっていた。
【０００４】
【発明が解決しようとする課題】
治療中の患者の病室移動や、工具の騒音、ホコリ等、医療機関での改築工事が起こす諸問題は多岐にわたっている。しかしながら、医療機関においても必然的に年数や利用内容等により、構造の傷みは発生しており、医療機関という特性上、容易で迅速な医療機関の改装、改築工事は急務といえる。
【０００５】
又、医療機関における喫煙スペースの管理自体は殆どの施設において、自由な利用が当然とされている。その事から、そのスペースの境界自体も曖昧なものとなりがちで結果、喫煙ルームといった特殊スペースの設置が必然となっている。
【０００６】
その事から、本発明は喫煙スペースのユニット化による容易で迅速な設置工事により、空き病室の有効利用やデッドスペースの有効利用等についても期待できる。
【０００７】
又、透析治療という特殊な処置行為においても、迅速で業務に差支えない改築工事は必須といえる。
【０００８】
【課題を解決するための手段】
以上の事から本発明は、有床医療機関等の病室をユニット、分割化する事で、予め空調等の設備機器等を組込み、既存設備の破壊無く、既存の設備を有効活用し、既存の空間にそのユニットを組込む事により、安易で迅速な病室等の改築、改装工事を可能とする事を目的としている。
【０００９】
又、喫煙ルームにおいては、単にユニットによる増築、改築のみでは無く、更にその喫煙ルームをプリペイドカード等を活用する事で、喫煙スペースの利用自体を管理運営する事で、健康管理における喫煙行為の抑制や、他への迷惑、医療機関の費用の軽減等も目的とする。
【００１０】
【作用】
喫煙スペースにおいて、このシステムは、単にスペースへの入室のみに留まらず、スペース内にある飲料系の自動販売機の利用においても併せて管理するもので、つまりは、スペースの利用そのものをカードを用いないと利用出来ないといったシステムとなる。
【００１１】
又、このシステムは喫煙といった行動そのものの管理を目的としており、自動販売機の利用回数などに制限をつける事で、長時間の利用や喫煙といった行動を制限せざるおえない施設において、その行動を抑制する事も目的となっている。又、喫茶ルームとしての人件費抑制なども期待している。
【００１２】
尚、透析処置行為において、このシステムでの改築行為は、患者や治療行為の特性上必然と思え、安全で迅速な本発明がもたらす影響は多大と言える。又、監視装置の収納等、容易な対応も可能となり、患者においてはより快適な環境が迅速に提供される事となる。医療機関においても大規模な改築や改装が、容易で迅速なものとなり、且つ既存設備の有効利用により安値な費用で実施可能となる。
【実施例】
【００１３】
図１はこの発明の喫煙ルームにおける一実施例を表している。
【００１４】
出入部脇にはのこのスペースを利用するにあたり、必要なカードの販売機が設置されてる。
【００１５】
又、出入部ドアサイドにはそのカードのカードリーダーが設置してある。
【００１６】
内部自動販売機前部には、このカードを読取るカードリーダーが設置してある。
【００１７】
高齢者や障害者、若しくは緊急用連絡用機器が設置してあり、内部で病気や事故といった突発的現象が発生しても対応できる事となっている。
【００１８】
【発明の効果】
以上の説明通りこの発明は、医療機関における有床部等の大規模な改築を容易で迅速な実施を可能とする事で、より快適な空間の提供を、患者やその家族、又は医療従事者へ可能にする事となる。又、喫煙といった行動を管理する事を目的とし、尚且つそのスペースやスペース内の自動販売機の利用の使用料金をカードにより徴収する事を目的とし、喫煙の抑制や、喫煙と公衆との隔離を可能とし、人件費の抑制も目的としている。又、医療機関等においては、空病室の有効利用や予算の抑制等も期待出来る。
【００１９】
更に、このシステムを設置する事で、施設内のスペースの有効利用といった効果も期待でき、ユニットとする事で、設置工事においても安易なものとなる。又、既存設備の有効活用により、従来よりも安値な単価での対応が可能となる。
【図面の簡単な説明】
【図１】図１はこの発明の喫煙ルームにおける一実施例簡易図。
【符号の説明】
（１）−カード販売機
（２）／（３）−カードリーダー
（４）−緊急用ボタン
（５）−空調設備
（６）−照明
【図２】図２はこの発明の透析処置ルームにおける一実施例簡易図。
【符号の説明】
（１）−処置ベッド
（２）−監視装置
【図１】
2004176516.tif 000003
【図２】
2004176516.tif 000004